(57)【特許請求の範囲】
【請求項１】
位置決定参照信号の送信方法であって、
位置決定参照信号を送信するための周波数領域位置が、ｎ個の物理リソースブロックであり、前記ｎの値がシグナルに応じて取得され、
前記位置決定参照信号を送信するための時間領域位置が、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
前記周波数領域位置及び前記時間領域位置に応じて前記位置決定参照信号を送信し、
前記物理リソースブロックは、ｎ個の等間隔離散的な物理リソースブロック、又はｎ個の連続した物理リソースブロックであり、
前記ｎ個の連続した物理リソースブロックは、低周波数からのｎ個の連続した物理リソースブロック、ゼロ周波数を中心とするｎ個の連続した物理リソースブロック、高周波数までのｎ個の連続した物理リソースブロック、又はシグナルの通知に応じて取得されたｎ個の連続した物理リソースブロックである
ことを特徴とする位置決定参照信号の送信方法。
【請求項２】
当該方法は、
前記周波数領域位置及び前記時間領域位置において、前記位置決定参照信号を送信することに用いられる直交周波数分割多重シンボルを確定するプロセスを更に含み、前記プロセスは、具体的に、
共通シーケンスをＮ×Ｎの配列Ａとして確定し、前記Ａ＝［ａ０、ａ１、ａ２・・・、ａｉ、・・・、ａＮ−１］であり、列と行の番号がいずれも０から開始され、前記配列ＡにＮ個の互いに異なる要素が含まれ、各要素の値の範囲が０〜Ｎ−１の整数であり、前記ａｉは、ｉ列のａｉ行の要素が１であること及びｉ列の他の位置要素が０であることを示し、
セル識別子がＮＩＤｃｅｌｌである場合に、前記セル固有参照信号を伝送するためのサブフレームインデックスをＳｕｂｆｒａｍｅＩｎｄｅｘとして確定し、そのとき、セルＮＩＤｃｅｌｌに対応するＮ×Ｎの配列Ｂ＝［ｂ０、ｂ１、ｂ２、・・・、ｂｉ、・・・、ｂＮ−１］が、
ｈ＝Ｘ ｍｏｄ Ｎ、  ｐ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１又は
ｐ＝Ｘ ｍｏｄ Ｎ、  ｈ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１であり、
ここで、ｘ ｍｏｄ ｙは剰余演算であり、ｆｌｏｏｒ（ｘ）は端数を切り捨てて整数にすることを示し、Ｘ＝ＮＩＤｃｅｌｌ又はＸ＝ＮＩＤｃｅｌｌ＋ＳｕｂｆｒａｍｅＩｎｄｅｘであり、  前記サブフレームおいて前記位置決定参照信号を伝送するための直交周波数分割多重シンボルの数量をｎに確定し、前記配列Ｂの最初のｎ列又は最初のｎ行、又は最後のｎ列又は最後のｎ行を取り込み、
取り込まれたｎ列又ｎ行が、前記ｎ個の直交周波数分割多重シンボルに一つずつ対応し、列又は行ごとに要素１が存在する位置が、前記位置決定参照信号を伝送する各物理リソースブロックにおいて、前記位置決定参照信号が対応直交周波数分割多重シンボル上に配置される位置である副搬送波位置に対応する
ことを特徴とする請求項１に記載の方法。
【請求項３】
前記ｎ個の等間隔離散的な物理リソースブロックの番号は、それぞれr、r+k、r+２×k、・・・、r+（n-１）×kであり、前記ｒは前記ｎ個の等間隔離散的な物理リソースブロックの開始位置であり、前記ｋは２つの隣接した物理リソースブロックの間隔である
ことを特徴とする請求項１に記載の方法。
【請求項４】
現在のダウンリンク帯域幅に対応するリソースブロックがｍであり、すべての物理リソースブロックに対して０から番号をつける場合、前記ｒ＝０であり、前記ｋは、以下の式で示される
【数１】
0005360942.tif 000009
ことを特徴とする請求項３に記載の方法。
【請求項５】
すべての利用可能な物理リソースブロックを、低周波数から高周波数までの順序に従って０から番号をつけ、最後の１つの番号がｒであり、
前記低周波数からのｎ個の連続した物理リソースブロックは、具体的に、番号が０からｎ−１までのｎ個の連続した物理リソースブロックであり、
前記ゼロ周波数を中心とするｎ個の連続した物理リソースブロックは、ゼロ周波数副搬送波がｎ個の連続した物理リソースブロックの中心に位置し、ｎ個の連続した物理リソースブロックがゼロ周波数と隣接する低周波数の６ｎ個の副搬送波及びゼロ周波数と隣接する高周波数の６ｎ個の副搬送波から構成され、
前記高周波数までのｎ個の連続した物理リソースブロックは、具体的に、番号ｒ−ｎ＋１からｒまでのｎ個の連続した物理リソースブロックである
ことを特徴とする請求項１に記載の方法。
【請求項６】
前記物理リソースブロックの数量ｎ及び開始位置は、１つ又は２つのシグナルに応じて取得される
ことを特徴とする請求項１に記載の方法。
【請求項７】
マルチメディア放送単一周波数ネットワークサブフレームにおいて、前記位置決定参照信号を伝送するための時間領域位置は、前記マルチメディア放送単一周波数ネットワークサブフレームにおいて３つ目から最後の１つまでの連続した１０個の直交周波数分割多重シンボルである
ことを特徴とする請求項１又は２に記載の方法。
【請求項８】
前記位置決定参照信号を伝送するための非マルチメディア放送単一周波数ネットワークサブフレームにおいて、前記物理ダウンリンク制御チャンネルを伝送するための直交周波数分割多重シンボルは、２つであり、基地局アンテナポートは、４つ又は２つである
ことを特徴とする請求項１又は２に記載の方法。
【請求項９】
前記位置決定参照信号を伝送する各物理リソースブロックにおいて、前記位置決定参照信号を伝送するための直交周波数分割多重シンボル上のただ１つの副搬送波が前記位置決定参照信号を伝送するために用いられる
ことを特徴とする請求項１又は２に記載の方法。
【請求項１０】
前記位置決定参照信号は、擬似ランダムシーケンスであり、周波数領域、時間領域の順序で、対応物理リソースブロックにマッピングされる
ことを特徴とする請求項１又は２に記載の方法。
【請求項１１】
位置決定参照信号の送信システムであって、
周波数領域位置及び時間領域位置に応じて位置決定参照信号を送信するための送信ユニットを含み、
前記位置決定参照信号を送信するための周波数領域位置は、ｎ個の物理リソースブロックであり、前記ｎの値がシグナルに応じて取得され、
前記位置決定参照信号を送信するための時間領域位置は、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
前記物理リソースブロックは、ｎ個の等間隔離散的な物理リソースブロック、又はｎ個の連続した物理リソースブロックであり、
前記ｎ個の連続した物理リソースブロックは、低周波数からのｎ個の連続した物理リソースブロック、ゼロ周波数を中心とするｎ個の連続した物理リソースブロック、高周波数までのｎ個の連続した物理リソースブロック、又はシグナルの通知に応じて取得されたｎ個の連続した物理リソースブロックである
ことを特徴とする位置決定参照信号の送信システム。
【請求項１２】
前記システムは、
前記周波数領域位置及び前記時間領域位置において、前記位置決定参照信号を送信することに用いられる直交周波数分割多重シンボルを確定するための確定ユニットを更に含み、
前記確定は、具体的に、
共通シーケンスをＮ×Ｎの配列Ａとして確定し、前記Ａ＝［ａ０、ａ１、ａ２・・・、ａｉ、・・・、ａＮ−１］であり、列と行の番号がいずれも０から開始され、前記配列ＡにＮ個の互いに異なる要素が含まれ、各要素の値の範囲が０〜Ｎ−１の整数であり、前記ａｉは、ｉ列のａｉ行の要素が１であること及びｉ列の他の位置要素が０であることを示し、
セル識別子がＮＩＤｃｅｌｌである場合に、前記セル固有参照信号を伝送するためのサブフレームインデックスをＳｕｂｆｒａｍｅＩｎｄｅｘとして確定し、そのとき、セルＮＩＤｃｅｌｌに対応するＮ×Ｎの配列Ｂ＝［ｂ０、ｂ１、ｂ２、・・・、ｂｉ、・・・、ｂＮ−１］が、
ｈ＝Ｘ ｍｏｄ Ｎ、  ｐ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１又は
ｐ＝Ｘ ｍｏｄ Ｎ、  ｈ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１であり、
ここで、ｘ ｍｏｄ ｙは剰余演算であり、ｆｌｏｏｒ（ｘ）は端数を切り捨てて整数にすることを示し、Ｘ＝ＮＩＤｃｅｌｌ又はＸ＝ＮＩＤｃｅｌｌ＋ＳｕｂｆｒａｍｅＩｎｄｅｘであり、
前記サブフレームおいて前記位置決定参照信号を伝送するための直交周波数分割多重シンボルの数量をｎに確定し、前記配列Ｂの最初のｎ列又は最初のｎ行、又は最後のｎ列又は最後のｎ行を取り込み、
取り込まれたｎ列又ｎ行が、前記ｎ個の直交周波数分割多重シンボルに一つずつ対応し、列又は行ごとに要素１が存在する位置が、前記位置決定参照信号を伝送する各物理リソースブロックにおいて、前記位置決定参照信号が対応直交周波数分割多重シンボル上に配置される位置である副搬送波位置に対応する
ことを特徴とする請求項１１に記載のシステム。
【請求項１３】
位置決定参照信号の送信方法であって、
位置決定参照信号を送信するための周期と対応サブフレームオフセット量との組み合わせに、対応インデックス値を割り当て、前記組み合わせ及び対応インデックス値に対応関係を確立し、
位置決定参照信号を送信するための周波数領域位置が、ｎ個の物理リソースブロックであり、前記ｎの値がシグナルに応じて取得され、前記位置決定参照信号を送信するための時間領域位置が、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
確立された対応関係、割り当てられたインデックス値、前記周波数領域位置及び前記時間領域位置に応じて前記位置決定参照信号を送信し、
前記物理リソースブロックは、ｎ個の等間隔離散的な物理リソースブロック、又はｎ個の連続した物理リソースブロックであり、
前記ｎ個の連続した物理リソースブロックは、低周波数からのｎ個の連続した物理リソースブロック、ゼロ周波数を中心とするｎ個の連続した物理リソースブロック、高周波数までのｎ個の連続した物理リソースブロック、又はシグナルの通知に応じて取得されたｎ個の連続した物理リソースブロックである
ことを特徴とする位置決定参照信号の送信方法。
【請求項１４】
前記方法は、さらに、
前記組み合わせ、対応インデックス値、及び前記対応関係をそれぞれ基地局及び端末に記憶し、
前記基地局が、位置決定参照信号の周期及び対応サブフレームオフセット量を設定した後、前記対応関係に応じてインデックス値を確定し、前記端末に送信する
ことを特徴とする請求項１３に記載の方法。
【請求項１５】
前記方法は、さらに、
前記端末が、受信したインデックス値及び前記対応関係に応じて、前記基地局によって設置された位置決定参照信号の周期及び対応サブフレームオフセット量を取得し、取得した周期とサブフレームオフセット量に応じて、前記基地局によって送信された位置決定参照信号を受信する
ことを特徴とする請求項１４に記載の方法。
【請求項１６】
位置決定参照信号の送信システムであって、
確立された対応関係、割り当てられたインデックス値、周波数領域位置及び時間領域位置に応じて位置決定参照信号を送信するための送信ユニットを含み、
位置決定参照信号を送信するための周期と対応サブフレームオフセット量との組み合わせに、対応インデックス値が割り当てられ、前記組み合わせ及び対応インデックス値に前記対応関係が確定され、
位置決定参照信号を送信するための前記周波数領域位置は、ｎ個の物理リソースブロックであり、前記ｎの値がシグナルに応じて取得され、位置決定参照信号を送信するための前記時間領域位置は、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
前記物理リソースブロックは、ｎ個の等間隔離散的な物理リソースブロック、又はｎ個の連続した物理リソースブロックであり、
前記ｎ個の連続した物理リソースブロックは、低周波数からのｎ個の連続した物理リソースブロック、ゼロ周波数を中心とするｎ個の連続した物理リソースブロック、高周波数までのｎ個の連続した物理リソースブロック、又はシグナルの通知に応じて取得されたｎ個の連続した物理リソースブロックである
ことを特徴とする位置決定参照信号の送信システム。
【請求項１７】
前記システムは、
前記組み合わせ、対応インデックス値、及び前記対応関係をそれぞれ基地局及び端末に記憶するための記憶ユニットと、
前記対応関係に応じてインデックス値を確定し、前記端末に送信するためのインデックス値送信ユニットとを更に含む
ことを特徴とする請求項１６に記載のシステム。
【請求項１８】
前記システムは、
前記端末が、受信したインデックス値及び前記対応関係に応じて、前記基地局によって設定された位置決定参照信号の周期及び対応サブフレームオフセット量を取得し、取得した周期とサブフレームオフセット量に応じて、前記基地局によって送信された位置決定参照信号を受信するための受信ユニットを更に含む
ことを特徴とする請求項１７に記載のシステム。
【発明の詳細な説明】
【技術分野】
【０００１】
本発明は、移動通信分野に関し、特に、位置決定参照信号の送信方法及びシステムに関する。
【背景技術】
【０００２】
直交周波数分割多重（ＯＦＤＭ）技術は、本質的に多搬送波変調通信技術であり、当該技術が第４世代移動通信におけるコア技術の１つである。周波数領域において、ＯＦＤＭのマルチパスチャンネルは、周波数選択性フェーディングの特性が現れる。このようなフェーディングを克服するために、チャンネルは周波数領域で複数のＯＦＤＭサブチャンネルに分割される。各サブチャンネルの周波数スペクトル特性はほぼ平坦であり、且つ各サブチャンネルは互いに直交するため、サブチャンネルの周波数スペクトルが互いに積み重なることが許可され、これによって選択性フェーディングを克服することができるだけでなく、周波数スペクトルリソースの利用度を向上させることもできる。
【０００３】
長期発展型（ＬＴＥ：Ｌｏｎｇ  Ｔｅｒｍ  Ｅｖｏｌｕｔｉｏｎ）システムは、第３世代パートナーシッププロジェクト（３ＧＰＰ）の重要な計画である。ＬＴＥシステムに伝統的な循環プレフィックスが用いられる場合、１つの時間スロットは、７つのアップ/ダウンリンクシンボルを含み、アップ/ダウンリンクシンボル７つ分の長さを有する。ＬＴＥシステムに拡張循環プレフィックスが用いられる場合、１つの時間スロットは、６つのアップ/ダウンリンクシンボルを含み、アップ/ダウンリンクシンボル７つ分の長さを有する。
【０００４】
図１に示すように、１つのリソース要素（ＲＥ：Ｒｅｓｏｕｒｃｅ  Ｅｌｅｍｅｎｔ）は、１つのＯＦＤＭシンボル上の１つの副搬送波であり、１つのダウンリンクリソースブロック（ＲＢ：Ｒｅｓｏｕｒｃｅ  Ｂｌｏｃｋ）は、連続した１２個の副搬送波及び連続した７つのＯＦＤＭシンボルから構成される。１つのダウンリンクリソースブロックは、周波数領域で１８０ｋＨｚであり、時間領域で１つの一般的な時間スロットの時間長さである。ＬＴＥシステムは、リソース割当てを行う場合に、リソースブロックを基本的な単位として割当てを行う。拡張循環プレフィックスが用いられる場合、ＲＢを構成する連続したＯＦＤＭシンボルの数は、６つである。
【０００５】
ＬＴＥシステムは、４つのアンテナのＭＩＭＯ応用をサポートし、対応するアンテナポート＃０、アンテナポート＃１、アンテナポート＃２及びアンテナポート＃３には、それぞれ、全帯域幅のセル固有参照信号（ＣＲＳ：Ｃｅｌｌ−ｓｐｅｃｉｆｉｃ  ｒｅｆｅｒｅｎｃｅ  ｓｉｇｎａｌｓ）方式が用いられる。循環プレフィックスが伝統的な循環プレフィックスである場合に、これらのセル固有参照信号が物理リソースブロックに存在する位置は、図２（ａ）に示すようなものである。循環プレフィックスが拡張循環プレフィックスである場合に、これらのセル固有参照信号が物理リソースブロックに存在する位置は、図２（ｂ）に示すようなものである。図２（ａ）と図２（ｂ）において、横座標ｌは、ＯＦＤＭシンボルでのサブフレームのシーケンス番号を示す。
【０００６】
また、ユーザー固有参照信号（ＵＥ−ｓｐｅｃｉｆｉｃ  ｒｅｆｅｒｅｎｃｅ  ｓｉｇｎａｌｓ）がある。当該参照信号は、ユーザー固有の物理共有チャンネル（ＰＤＳＣＨ：Ｐｈｙｓｉｃａｌ  ｄｏｗｎｌｉｎｋ  ｓｈａｒｅｄ  ｃｈａｎｎｅｌ）が存在する時間周波数領域位置のみで伝送される。セル固有参照信号の機能は、ダウンリンクチャンネルの品質の測定及びダウンリンクチャンネルの推定、即ちダウンリンクチャンネルの品質の測定及び復調を含む。
【０００７】
基地局は、ＵＥに対して設定及びスケジューリングを有効的に行うことができるように、セルにおける端末（ＵＥ：User Equipment）の位置を測定する必要がある。現在、ＣＲＳ参照信号を用いて端末に対して測定を行うには、以下のような制限がある。
（１）ＣＲＳシーケンスがフレームごとに重複し、相互相関性が良くない。
（２）２つのアンテナで伝送が行なわれる場合に、最大多重因子が３であり、隣接セル間の干渉がより大きい。
（３）ＣＲＳパワーが半静的に構成され、位置決定性能が制限される。
【０００８】
現在、上記した問題に対する解決策は、位置決定参照信号（ＰＲＳ：Ｐｏｓｉｔｉｏｎ  ｒｅｆｅｒｅｎｃｅ  ｓｉｇｎａｌ）を送信することによって、ＵＥの位置決定を行うことで、ＵＥの位置決定精度を保証するという方法である。しかしながら、従来の技術は、リソースブロックを単位として位置決定参照信号を送信する物理リソースのみを定義し、位置決定参照信号を送信する各リソースブロック内の位置が同じであるが、どのように位置決定参照信号を送信するかについて、例えば位置決定参照信号を送信するためのリソースブロックインデックス、リソースブロック内の具体的な時間周波数位置、及び参照信号のシーケンス等の問題に対して、まだ具体的なスキームを提供していない。
【０００９】
これに鑑みて、産業界において、ＵＥの位置決定精度を保証するために、具体的な位置決定参照信号の送信方法を提供することが望まれる。
【発明の概要】
【発明が解決しようとする課題】
【００１０】
本発明が解決しようとする技術的な課題は、ＵＥ位置決定精度を保証するために、位置決定参照信号の送信方法を提供することにある。
【課題を解決するための手段】
【００１１】
上記した技術的な課題を解決するために、本発明に係る位置決定参照信号の送信方法は、
位置決定参照信号を送信するための周波数領域位置がｎ個の物理リソースブロックであり、前記ｎの値がシグナルに応じて取得され、
前記位置決定参照信号を送信するための時間領域位置がサブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
前記周波数領域位置及び前記時間領域位置に応じて前記位置決定参照信号を送信する。
【００１２】
好ましくは、当該方法は、前記周波数領域位置及び前記時間領域位置において、前記位置決定参照信号を送信することに用いられる直交周波数分割多重シンボルを確定するプロセスを更に含む。前記プロセスは、具体的に、
共通シーケンスをＮ×Ｎの配列Ａとして確定する。前記Ａ＝［ａ０、ａ１、ａ２・・・、ａｉ、・・・、ａＮ−１］であり、列と行の番号がいずれも０から開始される。前記配列ＡにはＮ個の互いに異なる要素が含まれ、各要素の値の範囲が０〜Ｎ−１の整数である。前記ａｉは、ｉ列のａｉ行の要素が１であること及びｉ列の他の位置要素が０であることを示す。
セル識別子がＮＩＤｃｅｌｌである場合に、前記セル固有参照信号を伝送するためのサブフレームインデックスをＳｕｂｆｒａｍｅＩｎｄｅｘとして確定する。そのとき、セルＮＩＤｃｅｌｌに対応するＮ×Ｎの配列Ｂ＝［ｂ０、ｂ１、ｂ２、・・・、ｂｉ、・・・、ｂＮ−１］が、
ｈ＝Ｘ ｍｏｄ Ｎ、  ｐ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１又は
ｐ＝Ｘ ｍｏｄ Ｎ、  ｈ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１である。
ここで、ｘ ｍｏｄ ｙは剰余演算であり、ｆｌｏｏｒ（ｘ）は端数を切り捨てて整数にすることを示し、Ｘ＝ＮＩＤｃｅｌｌ又はＸ＝ＮＩＤｃｅｌｌ＋ＳｕｂｆｒａｍｅＩｎｄｅｘである。
前記サブフレームおいて前記位置決定参照信号を伝送するための直交周波数分割多重シンボルの数量をｎに確定し、前記配列Ｂの最初のｎ列又は最初のｎ行、又は最後のｎ列又は最後のｎ行を取り込む。
取り込まれたｎ列又ｎ行が、前記ｎ個の直交周波数分割多重シンボルに一つずつ対応し、列又は行ごとに要素１が存在する位置が、前記位置決定参照信号を伝送する各物理リソースブロックにおいて、前記位置決定参照信号が対応直交周波数分割多重シンボル上に配置される位置である副搬送波位置に対応する。
【００１３】
好ましくは、前記物理リソースブロックは、ｎ個の等間隔離散的な物理リソースブロック、又はｎ個の連続した物理リソースブロックである。
【００１４】
好ましくは、前記ｎ個の等間隔離散的な物理リソースブロックの番号は、それぞれr、r+k、r+2×k、・・・、r+（n-1）×kであり、前記ｒは前記ｎ個の等間隔離散的な物理リソースブロックの開始位置であり、前記ｋは２つの隣接した物理リソースブロックの間隔である。
【００１５】
好ましくは、現在のダウンリンク帯域幅に対応するリソースブロックがｍであり、すべての物理リソースブロックに対して０から番号をつける場合、前記ｒ＝０であり、前記ｋは、以下の式で示される。
【００１６】
【数１】
0005360942.tif 000002
【００１７】
好ましくは、前記ｎ個の連続した物理リソースブロックは、低周波数からのｎ個の連続した物理リソースブロック、ゼロ周波数を中心とするｎ個の連続した物理リソースブロック、高周波数までのｎ個の連続した物理リソースブロック、又はシグナルの通知に応じて取得されたｎ個の連続した物理リソースブロックである。
【００１８】
好ましくは、すべての利用可能な物理リソースブロックを低周波数から高周波数までの順序に従って０から番号をつけ、最後の１つの番号がｒであり、
低周波数からのｎ個の連続した物理リソースブロックは、即ち、番号が０からｎ−１までのｎ個の連続した物理リソースブロックであり、
ゼロ周波数を中心とするｎ個の連続した物理リソースブロックは、ゼロ周波数副搬送波がｎ個の連続した物理リソースブロックの中心に位置し、ｎ個の連続した物理リソースブロックが１２ｎ個の連続した副搬送波から構成され、１２ｎ個の連続した副搬送波が即ちゼロ周波数と隣接する低周波数の６ｎ個の副搬送波及びゼロ周波数と隣接する高周波数の６ｎ個の副搬送波であり、
高周波数までのｎ個の連続した物理リソースブロックは、即ち、番号がｒ−ｎ＋１からｒまでのｎ個の連続した物理リソースブロックである。
【００１９】
好ましくは、前記物理リソースブロックの数量ｎ及び開始位置は、１つ又は２つのシグナルに応じて取得される。
【００２０】
好ましくは、現在のダウンリンク帯域幅に対応するリソースブロックがｍである場合、前記ｎの値は、以下に示す値とされる。
【００２１】
【数２】
0005360942.tif 000003
【００２２】
好ましくは、マルチメディア放送単一周波数ネットワークサブフレームにおいて、前記位置決定参照信号を伝送するための時間領域位置は、前記マルチメディア放送単一周波数ネットワークサブフレームにおいて３つ目から最後の１つまでの連続した１０個の直交周波数分割多重シンボルである。
【００２３】
好ましくは、前記位置決定参照信号を伝送するための非マルチメディア放送単一周波数ネットワークサブフレームにおいて、前記物理ダウンリンク制御チャンネルを伝送するための直交周波数分割多重シンボルは、２つであり、基地局アンテナポートは、４つ又は２つである。
【００２４】
好ましくは、システムが伝統的な循環プレフィックスを用いる場合に、前記位置決定参照信号を伝送するための時間領域位置は、前記非マルチメディア放送単一周波数ネットワークサブフレームにおける３つ目、４つ目、６つ目及び７つ目の直交周波数分割多重シンボル、並びに１０個目、１１個目、１３個目及び１４個目の直交周波数分割多重シンボルであり、
又は、前記位置決定参照信号を伝送するための時間領域位置は、前記非マルチメディア放送単一周波数ネットワークサブフレームにおける３つ目、４つ目、６つ目及び７つ目の直交周波数分割多重シンボル、並びに９つ目、１０個目、１１個目、１３個目及び１４個目の直交周波数分割多重シンボルである。
【００２５】
好ましくは、システムが拡張循環プレフィックスを用いる場合に、前記位置決定参照信号を伝送するための時間領域位置は、前記非マルチメディア放送単一周波数ネットワークサブフレームにおける３つ目、５つ目及び６つ目の直交周波数分割多重シンボル、並びに９つ目、１１個目及び１２個目の直交周波数分割多重シンボルであり、
又は、前記位置決定参照信号を伝送するための時間領域位置は、前記非マルチメディア放送単一周波数ネットワークサブフレームにおける３つ目、５つ目及び６つ目の直交周波数分割多重シンボル、並びに８つ目、９つ目、１１個目及び１２個目の直交周波数分割多重シンボルである。
【００２６】
好ましくは、前記位置決定参照信号を伝送する各物理リソースブロックにおいて、前記位置決定参照信号を伝送するための直交周波数分割多重シンボル上のただ１つの副搬送波が前記位置決定参照信号を伝送するために用いられる。
【００２７】
好ましくは、前記位置決定参照信号は、擬似ランダムシーケンスであり、周波数領域、時間領域の順序で、対応物理リソースブロックにマッピングされる。
【００２８】
上記した技術的な課題を解決するために、本発明に係る位置決定参照信号の送信システムがさらに提供される。当該システムは、周波数領域位置及び時間領域位置に応じて位置決定参照信号を送信するための送信ユニットを含む。
前記位置決定参照信号を送信するための周波数領域位置は、ｎ個の物理リソースブロックであり、前記ｎの値がシグナルに応じて取得される。
前記位置決定参照信号を送信するための時間領域位置は、サブフレームにおける、物理ダウンリンク制御チャンネルを伝送するための直交周波数分割多重シンボル及びセル固有参照信号を伝送するための直交周波数分割多重シンボル以外のほかの直交周波数分割多重シンボルである。
【００２９】
好ましくは、当該システムは、前記周波数領域位置及び前記時間領域位置において、前記位置決定参照信号を送信することに用いられる直交周波数分割多重シンボルを確定するための確定ユニットを更に含む。前記確定は、具体的に、
共通シーケンスをＮ×Ｎの配列Ａとして確定する。前記Ａ＝［ａ０、ａ１、ａ２・・・、ａｉ、・・・、ａＮ−１］であり、列と行の番号がいずれも０から開始される。前記配列ＡにはＮ個の互いに異なる要素が含まれ、各要素の値の範囲が０〜Ｎ−１の整数である。前記ａｉは、ｉ列のａｉ行の要素が１であること及びｉ列の他の位置要素が０であることを示す。
セル識別子がＮＩＤｃｅｌｌである場合に、前記セル固有参照信号を伝送するためのサブフレームインデックスをＳｕｂｆｒａｍｅＩｎｄｅｘとして確定する。そのとき、セルＮＩＤｃｅｌｌに対応するＮ×Ｎの配列Ｂ＝［ｂ０、ｂ１、ｂ２、・・・、ｂｉ、・・・、ｂＮ−１］が、
ｈ＝Ｘ ｍｏｄ Ｎ、  ｐ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１又は
ｐ＝Ｘ ｍｏｄ Ｎ、  ｈ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１である。
ここで、ｘ ｍｏｄ ｙは剰余演算であり、ｆｌｏｏｒ（ｘ）は端数を切り捨てて整数にすることを示し、Ｘ＝ＮＩＤｃｅｌｌ又はＸ＝ＮＩＤｃｅｌｌ＋ＳｕｂｆｒａｍｅＩｎｄｅｘである。
前記サブフレームおいて前記位置決定参照信号を伝送するための直交周波数分割多重シンボルの数量をｎに確定し、前記配列Ｂの最初のｎ列又は最初のｎ行、又は最後のｎ列又は最後のｎ行を取り込む。
取り込まれたｎ列又ｎ行が、前記ｎ個の直交周波数分割多重シンボルに一つずつ対応し、列又は行ごとに要素１が存在する位置が、前記位置決定参照信号を伝送する各物理リソースブロックにおいて、前記位置決定参照信号が対応直交周波数分割多重シンボル上に配置される位置である副搬送波位置に対応する。
【００３０】
上記した技術的な課題を解決するために、本発明は、位置決定参照信号の送信方法を更に提供する。当該方法は、
位置決定参照信号を送信するための周期と対応サブフレームオフセット量との組み合わせに、対応インデックス値を割り当て、前記組み合わせ及び対応インデックス値に対応関係を確立し、
位置決定参照信号を送信するための周波数領域位置が、ｎ個の物理リソースブロックであり、前記ｎの値がシグナルに応じて取得され、前記位置決定参照信号を送信するための時間領域位置が、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルであり、
確立された対応関係、割り当てられたインデックス値、前記周波数領域位置及び前記時間領域位置に応じて前記位置決定参照信号を送信する。
【００３１】
好ましくは、当該方法は、さらに、
前記組み合わせ、対応インデックス値、及び前記対応関係をそれぞれ基地局及び端末に記憶し、
前記基地局が、位置決定参照信号の周期及び対応サブフレームオフセット量を配置した後、前記対応関係に応じてインデックス値を確定し、前記端末に送信する。
【００３２】
好ましくは、当該方法は、さらに、
前記端末が、受信したインデックス値及び前記対応関係に応じて、前記基地局によって設定された位置決定参照信号の周期及び対応サブフレームオフセット量を取得し、取得した周期とサブフレームオフセット量に応じて、前記基地局によって送信された位置決定参照信号を受信する。
【００３３】
好ましくは、前記周期は、（１６、３２、６４、１２８）ミリ秒、又は（１６、３２、６４、１２８、ＯＦＦ）ミリ秒を含み、前記ＯＦＦは、位置決定機能がオフされることを示し、
前記周期が１６ミリ秒である場合に、前記サブフレームオフセット量の値の範囲は、具体的に０〜１５の整数であり、
前記周期が３２ミリ秒である場合に、前記サブフレームオフセット量の値の範囲は、具体的に０〜３１の整数であり、
前記周期が６４ミリ秒である場合に、前記サブフレームオフセット量の値の範囲は、具体的に０〜６３の整数であり、
前記周期が１２８ミリ秒である場合に、前記サブフレームオフセット量の値の範囲は、具体的に０〜１２７の整数であり、
前記周期がＯＦＦである場合に、前記サブフレームオフセット量は、具体的にデフォルト値である。
【００３４】
好ましくは、前記周期が１６ミリ秒である場合に、前記周期と対応サブフレームオフセット量との組み合わせは、（１６、０）、（１６、１）、（１６、２）、・・・、（１６、１４）、（１６、１５）であり、対応するインデックス値は、順に０〜１５であり、
前記周期が３２ミリ秒である場合に、前記周期と対応サブフレームオフセット量との組み合わせは、具体的に（３２、０）、（３２、１）、（３２、２）、・・・、（３２、３０）、（３２、３１）であり、対応するインデックス値は、順に１６〜４７であり、
前記周期が６４ミリ秒である場合に、前記周期と対応サブフレームオフセット量との組み合わせは、具体的に（６４、０）、（６４、１）、（６４、２）、・・・、（６４、６２）、（６４、６３）であり、対応するインデックス値は、順に４８〜１１１であり、
前記周期が１２８ミリ秒である場合に、前記周期と対応サブフレームオフセット量との組み合わせは、具体的に（１２８、０）、（１２８、１）、（１２８、２）、・・・、（１２８、１２６）、（１２８、１２７）であり、対応インデックス値は、順に１１２〜２３９であり、
前記周期がＯＦＦである場合に、前記周期と対応サブフレームオフセット量との組み合わせは、具体的に（ＯＦＦ、デフォルト値）であり、対応するインデックス値は、２４０である。
【００３５】
上記した技術的な課題を解決するために、本発明は、位置決定参照信号の送信システムを提供する。当該システムは、確立された対応関係、割り当てられたインデックス値、周波数領域位置及び時間領域位置に応じて位置決定参照信号を送信するための送信ユニットを含む。
位置決定参照信号を送信するための周期と対応サブフレームオフセット量との組み合わせに、対応インデックス値を割り当て、前記組み合わせ及び対応インデックス値に前記対応関係を確立する。
位置決定参照信号を送信するための前記周波数領域位置は、ｎ個の物理リソースブロックであり、前記ｎの値がシグナルに応じて取得され、位置決定参照信号を送信するための前記時間領域位置は、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルである。
【００３６】
好ましくは、当該システムは、
前記組み合わせ、対応インデックス値、及び前記対応関係をそれぞれ基地局及び端末に記憶するための記憶ユニットと、
前記対応関係に応じてインデックス値を確定し、前記端末に送信するためのインデックス値送信ユニットと、を更に含む。
【００３７】
好ましくは、当該システムは、
前記端末が、受信したインデックス値及び前記対応関係に応じて、前記基地局によって設定された位置決定参照信号の周期及び対応サブフレームオフセット量を取得し、取得した周期とサブフレームオフセット量に応じて、前記基地局によって送信された位置決定参照信号を受信するための受信ユニットを更に含む。
【００３８】
従来の技術に比べ、本発明に係る技術的なスキームは、隣接セルにおいて位置決定参照信号を送信するための時間周波数位置を異ならせており、これによって、セル間の干渉を低減し、ＵＥの位置決定精度を保証し、システムの機能全体を向上させることができる。また、本発明は、位置決定参照信号の送信周期、及び位置決定参照信号の送信時のサブフレームオフセット量の技術的なスキームを提供する。
【図面の簡単な説明】
【００３９】
【図１】従来の技術においてシステム帯域幅が５ＭＨｚであるＬＴＥシステムの物理リソースブロックを示す図である。
【図２（ａ）】従来の技術においてＬＴＥシステムのセル固有参照信号が物理リソースブロックに存在する位置を示す図である。
【図２（ｂ）】従来の技術においてＬＴＥシステムのセル固有参照信号が物理リソースブロックに存在する位置を示す図である。
【図３】本発明の第１実施例において位置決定参照信号がリソースブロックに存在する具体的な搬送波位置を示す図である。
【図４】本発明の第２実施例において位置決定参照信号がリソースブロックに存在する具体的な搬送波位置を示す図である。
【図５】本発明の第３実施例において位置決定参照信号がリソースブロックに存在する具体的な搬送波位置を示す図である。
【発明を実施するための形態】
【００４０】
以下、本発明が技術的なスキームを使用してどのように技術的な課題を解決し、技術的効果をどのように達成するかについての実現プロセスを当業者が十分に理解することができるように、また、この実現プロセスに応じて当業者が本発明を実施することができるように、図面及び実施形態を参照して、本発明を詳しく説明する。
【００４１】
本発明の技術的なスキームにおいて、位置決定参照信号を送信するための周波数領域位置は、ｎ個の物理リソースブロックであり、ｎの値がシグナルの通知に応じて取得される。ここで、この物理リソースブロックは、位置決定参照信号の周波数領域位置のみを表示する。
【００４２】
当該ｎ個の物理リソースブロックは、ｎ個の等間隔離散的な物理リソースブロックであってもよく、即ちｎ個の物理リソースブロックは、番号がr、r+k、r+2×k、・・・、r+（n-1）×kのｎ個の物理リソースブロックに対応していてもよい。ｒは当該ｎ個の物理リソースの開始位置番号であり、ｋは２つの隣接した物理リソースブロックの間隔である。現在のダウンリンク帯域幅に対応するリソースブロックがｍである場合、すべての物理リソースブロックに対して０から番号がつけられ、このとき、ｒ＝０であり、ｋは、以下の式により表される。
【００４３】
【数３】
0005360942.tif 000004
【００４４】
当該ｎ個の物理リソースブロックは、ｎ個の連続した物理リソースブロックであってもよく、例えば低周波数からのｎ個の連続した物理リソースブロックであってよいし、ゼロ周波数を中心とするｎ個の連続した物理リソースブロックであってもよいし、高周波数までのｎ個の連続した物理リソースブロックであってもよい。ｎの値は、シグナルの通知に応じて取得され、シグナルのオーバーヘッドは２ビットであってもよい。
【００４５】
当該ｎ個の連続した物理リソースブロックは、シグナルの通知に応じて取得されたｎ個の連続した物理リソースブロックであってもよく、当該ｎ個の連続した物理リソースブロックの開始位置は、当該シグナルに応じてｎの値と共に取得されてもよいし、他のシグナルに応じて取得されてもよい。１つのシグナルで物理リソースブロックの数量（即ちｎ）及び開始位置を通知する場合、当該シグナルのオーバーヘッドは、以下の式により表される。式中、ＮＲＢＤＬはダウンリンク帯域幅に対応するリソースブロックの数量である。
【００４６】
【数４】
0005360942.tif 000005
【００４７】
対応関係は、例えばすべての利用可能な物理リソースブロックを低周波数から高周波数までの順序に従って０からｒ（最後の１つの番号）まで番号がつけられる。
【００４８】
このとき、低周波数からのｎ個の連続した物理リソースブロックは、即ち、番号が０から開始されてｎ−１で終了するｎ個の連続した物理リソースブロックである。
【００４９】
ゼロ周波数を中心とするｎ個の連続した物理リソースブロックは、ゼロ周波数副搬送波がｎ個の連続した物理リソースブロックの中心に位置し、ｎ個の連続した物理リソースブロックは、１２ｎ個の連続した副搬送波、即ちゼロ周波数と隣接する低周波数の６ｎ個の副搬送波と、ゼロ周波数と隣接する高周波数の６ｎ個の副搬送波とから構成される。
【００５０】
高周波数までのｎ個の連続した物理リソースブロックは、即ち物理リソースブロックのカットオフ番号としてのｒにより、ｒ−ｎ＋１からｒまで番号付けされたｎ個の連続した物理リソースブロックである。
【００５１】
例えば、現在のダウンリンク帯域幅に対応するリソースブロックがｍである場合、２ビットシグナルに対応するｎの値は、以下に示す値とされる。
【００５２】
【数５】
0005360942.tif 000006
【００５３】
位置決定参照信号を送信するための時間領域位置は、サブフレームにおける物理ダウンリンク制御チャンネルを伝送するためのＯＦＤＭシンボル及びセル固有参照信号を伝送するためのＯＦＤＭシンボル以外の他のＯＦＤＭシンボルである。
【００５４】
更に説明すると、マルチメディア放送単一周波数ネットワーク（ＭＢＳＦＮ）サブフレームにおいて、位置決定参照信号を伝送するための時間領域位置は、ＭＢＳＦＮサブフレームにおける３つ目のＯＦＤＭシンボルからサブフレームにおける最後の１つのＯＦＤＭシンボルまでの連続した１０個のＯＦＤＭシンボルである。
【００５５】
一般的なサブフレーム（非ＭＢＳＦＮサブフレーム）において、システムが伝統的な循環プレフィックスを用いる場合、位置決定参照信号を伝送するための時間領域位置は、サブフレームにおける３つ目のＯＦＤＭシンボル、４つ目のＯＦＤＭシンボル、６つ目のＯＦＤＭシンボル及び７つ目のＯＦＤＭシンボル、並びに１０個目のＯＦＤＭシンボル、１１個目のＯＦＤＭシンボル、１３個目のＯＦＤＭシンボル及び１４個目のＯＦＤＭシンボルである。
【００５６】
又は、位置決定参照信号を伝送するための時間領域位置は、サブフレームにおける３つ目のＯＦＤＭシンボル、４つ目のＯＦＤＭシンボル、６つ目のＯＦＤＭシンボル及び７つ目のＯＦＤＭシンボル、並びに９つ目のＯＦＤＭシンボル、１０個目のＯＦＤＭシンボル、１１個目のＯＦＤＭシンボル、１３個目のＯＦＤＭシンボル及び１４個目のＯＦＤＭシンボルである。
【００５７】
一般的なサブフレーム（非ＭＢＳＦＮサブフレーム）において、システムが拡張循環プレフィックスを用いる場合、位置決定参照信号を伝送するための時間領域位置は、サブフレームにおける３つ目のＯＦＤＭシンボル、５つ目のＯＦＤＭシンボル及び６つ目のＯＦＤＭシンボル、並びに９つ目のＯＦＤＭシンボル、１１個目のＯＦＤＭシンボル及び１２個目のＯＦＤＭシンボルである。
【００５８】
又は、位置決定参照信号を伝送するための時間領域位置は、サブフレームにおける３つ目のＯＦＤＭシンボル、５つ目のＯＦＤＭシンボル及び６つ目のＯＦＤＭシンボル、並びに８つ目のＯＦＤＭシンボル、９つ目のＯＦＤＭシンボル、１１個目のＯＦＤＭシンボル及び１２個目のＯＦＤＭシンボルである。
【００５９】
つまり、一般的なサブフレーム（非ＭＢＳＦＮサブフレーム）において、位置決定参照信号を伝送するためのサブフレームにおいて物理ダウンリンク制御チャンネルを伝送するためのＯＦＤＭシンボルの数は、２つであり、現在の基地局アンテナポートは、４つのアンテナポートである。
【００６０】
又は、一般的なサブフレーム（非ＭＢＳＦＮサブフレーム）において、位置決定参照信号を伝送するためのサブフレームにおける物理ダウンリンク制御チャンネルを伝送するためのＯＦＤＭシンボルの数は、２つであり、現在の基地局アンテナポートは、２つのアンテナポートである。
【００６１】
更に説明すると、位置決定参照信号を伝送する各リソースブロックにおいて、位置決定参照信号を伝送するためのＯＦＤＭシンボル上のただ１つの副搬送波が位置決定参照信号を伝送するために用いられる。
【００６２】
更に説明すると、位置決定参照信号のシーケンスは、擬似ランダムシーケンスであり、周波数領域、時間領域の順序で、対応リソースにマッピングされる。
【００６３】
位置決定参照信号を送信するための周期と対応サブフレームオフセット量との組み合わせごとにインデックス値が割り当てられ、位置決定参照信号を送信するための周期とサブフレームオフセット量との組み合わせと、インデックス値との間に対応関係が確定され、基地局及び端末に、当該対応関係が記憶され、また、周期とサブフレームオフセット量との組み合わせ及びインデックス値が記憶される。
【００６４】
基地局は、端末に位置決定参照信号を送信するための周期及び対応サブフレームオフセット量を設定した後、当該対応関係情報に応じて対応インデックス値を確定し、当該インデックス値を端末に送信する。端末は、記憶した対応関係及び当該インデックス値に応じて、基地局によって設定された、位置決定参照信号を送信するための周期とサブフレームオフセット量を取得し、取得された周期とサブフレームオフセット量に応じて位置決定参照信号の受信を完了する。
【００６５】
位置決定参照信号を送信するための周期は、（１６、３２、６４、１２８）ミリ秒（ｍｓ）であってもよいし、（１６、３２、６４、１２８、ＯＦＦ）ｍｓであってもよい。上記ＯＦＦは、位置決定機能がオフされることを示し、即ち位置決定を行わない。
【００６６】
位置決定参照信号を送信するための周期が１６ｍｓである場合、位置決定参照信号を送信するためのサブフレームオフセット量の値の範囲は、０〜１５の整数であり、構成される（周期、サブフレームオフセット量）の組み合わせは、１６種類、即ち（１６、０）、（１６、１）、（１６、２）、・・・、（１６、１４）、（１６、１５）である。対応インデックス値は、それぞれ順番に０〜１５である。
【００６７】
位置決定参照信号を送信するための周期が３２ｍｓである場合、位置決定参照信号を送信するためのサブフレームオフセット量の値の範囲は、０〜３１の整数であり、構成される（周期、サブフレームオフセット量）の組み合わせは、３２種類、即ち（３２、０）、（３２、１）、（３２、２）、・・・、（３２、３０）、（３２、３１）である。対応インデックス値は、それぞれ順番に１６〜４７である。
【００６８】
位置決定参照信号を送信するための周期が６４ｍｓである場合、位置決定参照信号を送信するためのサブフレームオフセット量の値の範囲は、０〜６３の整数であり、構成される（周期、サブフレームオフセット量）の組み合わせは、６４種類、即ち（６４、０）、（６４、１）、（６４、２）、・・・、（６４、６２）、（６４、６３）である。対応インデックス値は、それぞれ順番に４８〜１１１である。
【００６９】
位置決定参照信号を送信するための周期が１２８ｍｓである場合、位置決定参照信号を送信するためのサブフレームオフセット量の値範囲は、０〜１２７の整数であり、構成される（周期、サブフレームオフセット量）の組み合わせは、１２８種類、即ち（１２８、０）、（１２８、１）、（１２８、２）、・・・、（１２８、１２６）、（１２８、１２７）である。対応インデックス値は、それぞれ順番に１１２〜２３９である。
【００７０】
前記位置決定参照信号を送信するための周期の値がＯＦＦを更に含む場合、対応サブフレームオフセット量は、デフォルト値であってもよい。構成される（周期、サブフレームオフセット量）の組み合わせ、即ち（ＯＦＦ、デフォルト値）に対応するインデックス値は、２４０である。
【００７１】
位置決定参照信号を送信するための周期と位置決定参照信号を送信するためのサブフレームオフセット量との組み合わせと、インデックス値との間の具体的な対応関係は、表１又は表２に示すようなものである。
【００７２】
【表１】
0005360942.tif 000007
【００７３】
【表２】
0005360942.tif 000008
【００７４】
位置決定参照信号を送信するための周期とサブフレームオフセット量は、異なるシグナルを用いてそれぞれ通知されてもよい。
【００７５】
また、位置決定参照信号は、ｈ個の連続したダウンリンクサブフレームで送信されてもよく、ｈの値が１、２、４、６であり、且つｈの値がシグナルに応じて取得されてもよい。
【００７６】
基地局は、端末に位置決定参照信号に関連する設定情報を送信し、対応する時間周波数位置において位置決定参照信号を送信する。端末は、受信した前記設定情報に応じて、位置決定参照信号を検出し、検出した位置決定参照情報に応じて位置決定を完了する。
【００７７】
以下、数式によって本発明の技術的特徴を明確に説明する。
【００７８】
共通シーケンスがＮ×Ｎの配列Ａであり、且つＡ＝［ａ０、ａ１、ａ２・・・、ａｉ、・・・、ａＮ−１］である場合、列と行の番号は、いずれも０から開始され、配列ＡにＮ個の互いに異なる要素が含まれ、各要素の値の範囲は、０〜Ｎ−１の整数とされる。前記ａｉは、ｉ列ａｉ行の要素が１であること、及びｉ列の他の位置要素が０であることを示す。
【００７９】
セル識別子がＮＩＤｃｅｌｌであり、前記参照信号を伝送するためのサブフレームインデックスがＳｕｂｆｒａｍｅＩｎｄｅｘである場合、セルＮＩＤｃｅｌｌに対応するＮ×Ｎの配列Ｂ＝［ｂ０、ｂ１、ｂ２、・・・、ｂｉ、・・・、ｂＮ−１］は、
ｈ＝Ｘ ｍｏｄ Ｎ                                式（１）
ｐ＝ｆｌｏｏｒ（Ｘ/Ｎ）                          式（２）
ｂｉ＝（ａ（ｉ＋ｈ） ｍｏｄ Ｎ＋ｐ） ｍｏｄ Ｎ、  ｉ＝０、１、２、・・・、Ｎ−１    式（３）
又は
ｐ＝Ｘ ｍｏｄ Ｎ                                式（４）
ｈ＝ｆｌｏｏｒ（Ｘ/Ｎ）                          式（５）
ｂｉ＝（ａ（ｉ＋ｈ） ｍｏｄ Ｎ＋ｐ） ｍｏｄ Ｎ、  ｉ＝０、１、２、・・・、Ｎ−１  式（６）
である。
ここで、
ｘ ｍｏｄ ｙは剰余演算であり、
ｆｌｏｏｒ（ｘ）は端数を切り捨てて整数にすることを示し、
Ｘ＝ＮＩＤｃｅｌｌ  、又はＸ＝ＮＩＤｃｅｌｌ  ＋ＳｕｂｆｒａｍｅＩｎｄｅｘである。
【００８０】
位置決定参照信号を送信する各ＯＦＤＭシンボルにおいて、位置決定参照信号データを送信するのための副搬送波は、1つだけであり、前記リソースブロックにおいて、位置決定参照信号を送信するための副搬送波位置は、配列Ｂによって生成される。
【００８１】
例えば、１つのリソースブロックにおいて副搬送波の番号は、０〜１１であり、サブフレームにおいて位置決定参照信号を伝送するためのＯＦＤＭシンボルの数量ｎに応じて、配列Ｂの最初のｎ列又は最初のｎ行、又は最後のｎ列又は最後のｎ行が取り込まれる。
【００８２】
取り込まれたｎ列又はｎ行は、当該ｎ個のＯＦＤＭシンボルに一つずつ対応し、列又は行ごとに要素１が存在する位置は、位置決定参照信号の前記リソースブロックにおいて対応ＯＦＤＭシンボル上の副搬送波位置に対応する。即ち取り込まれたマトリックスにおいて、要素１が、第ｉ列における第ｊ行（又は第ｉ行における第ｊ列）に位置する場合、位置決定参照信号は、それに応じて取り込まれたマトリックスにおいて第ｉ列に対応するＯＦＤＭシンボルｋにおけるｊ番目の副搬送波（又は第ｉ行に対応するＯＦＤＭシンボルｋにおけるｊ番目の副搬送波）に位置する。
【００８３】
第１の実施例
本実施例において、シグナル配置位置決定参照信号は、全帯域幅で送信され、即ち各リソースブロックで当該位置決定参照信号が送信される。各リソースブロックにおいて当該位置決定参照信号の時間周波数位置は、同じである。
【００８４】
ＭＢＳＦＮサブフレームにおいて、位置決定参照信号を伝送するための時間領域位置は、ＭＢＳＦＮサブフレームにおける３つ目のＯＦＤＭシンボルからサブフレームにおける最後の１つのＯＦＤＭシンボルまでの連続した１０つのＯＦＤＭシンボルである。
【００８５】
配列Ａが、［１、３、７、４、５、２、１０、９、１２、８、６、１１］であり、セル識別子ＮＩＤｃｅｌｌが１であり、Ｎが１２であり、Ｘ＝ＮＩＤｃｅｌｌである場合、
ｈ＝ＮＩＤｃｅｌ  ｍｏｄ  １２、
ｐ＝ｆｌｏｏｒ（ＮＩＤｃｅｌｌ/１２）、
ｂｉ＝（ａ（ｉ＋ｈ） ｍｏｄ Ｎ＋ｐ） ｍｏｄ Ｎ、  ｉ＝０、１、２、・・・、Ｎ−１、
即ち、
Ｂ＝［ｂ０、ｂ１、ｂ２、・・・、ｂＮ−１］であり、
Ｂ＝［３、７、４、５、２、１０、９、１２、８、６、１１、１］を得る。
【００８６】
ＭＢＳＦＮサブフレームでは、マトリックスにおける最初の１０列が取り込まれる。前記リソースブロックにおいて対応する位置決定参照信号の具体的な位置は、図３に示されている。図３中のシンボルＴは、位置決定参照信号が配置される副搬送波の位置を示し、図３において横座標ｌは、ＯＦＤＭシンボルにおけるサブフレームのシーケンス番号を示す。
【００８７】
第２の実施例
本実施例において、シグナル配置位置決定参照信号は、全帯域幅で送信され、即ち各リソースブロックで当該位置決定参照信号が送信される。各リソースブロックにおいて当該位置決定参照信号の時間周波数位置は、同じである。
【００８８】
システムが伝統的な循環プレフィックスを用いる場合、位置決定参照信号を伝送するための時間領域位置は、サブフレームにおける３つ目のＯＦＤＭシンボル、４つ目のＯＦＤＭシンボル、６つ目のＯＦＤＭシンボル及び７つ目のＯＦＤＭシンボル、並びに１０個目のＯＦＤＭシンボル、１１個目のＯＦＤＭシンボル、１３個目のＯＦＤＭシンボル及び１４個目のＯＦＤＭシンボルである。
【００８９】
配列Ａが、［１、３、７、４、５、２、１０、９、１２、８、６、１１］であり、セル識別子ＮＩＤｃｅｌｌが１であり、Ｎが１２であり、Ｘ＝ＮＩＤｃｅｌｌである場合、
ｈ＝ＮＩＤｃｅｌｌ  ｍｏｄ  １２、
ｐ＝ｆｌｏｏｒ（ＮＩＤｃｅｌ/１２）、
ｂｉ＝（ａ（ｉ＋ｈ） ｍｏｄ Ｎ＋ｐ） ｍｏｄ Ｎ、  ｉ＝０、１、２、・・・、Ｎ−１、
即ち、
Ｂ＝［ｂ０、ｂ１、ｂ２、・・・、ｂＮ−１］であり、
Ｂ＝［３、７、４、５、２、１０、９、１２、８、６、１１、１］を得る。
【００９０】
システムが伝統的な循環プレフィックスを用いる場合、マトリックスにおける最初の８列が取り込まれる。前記リソースブロックにおいて対応する位置決定参照信号の具体的な位置は、図４に示すようなものである。図４において横座標ｌは、ＯＦＤＭシンボル上のサブフレームのシーケンス番号を示す。
【００９１】
第３の実施例
本実施例において、シグナル配置位置決定参照信号は、全帯域幅で送信され、即ち各リソースブロックで当該位置決定参照信号が送信される。各リソースブロックにおいて当該位置決定参照信号の時間周波数位置は、同じである。
【００９２】
システムが拡張循環プレフィックスを用いる場合、位置決定参照信号を伝送するための時間領域位置は、サブフレームにおける３つ目のＯＦＤＭシンボル、５つ目のＯＦＤＭシンボル及び６つ目のＯＦＤＭシンボル、並びに９つ目のＯＦＤＭシンボル、１１個目のＯＦＤＭシンボル及び１２個目のＯＦＤＭシンボルである。
【００９３】
配列Ａが［１、３、７、４、５、２、１０、９、１２、８、６、１１］であり、セル識別子ＮＩＤｃｅｌｌが１であり、Ｎが１２であり、Ｘ＝ＮＩＤｃｅｌｌである場合、
ｈ＝ＮＩＤｃｅｌｌ  ｍｏｄ  １２、
ｐ＝ｆｌｏｏｒ（ＮＩＤｃｅｌｌ/１２）、
ｂｉ＝（ａ（ｉ＋ｈ） ｍｏｄ Ｎ＋ｐ） ｍｏｄ Ｎ、  ｉ＝０、１、２、・・・、Ｎ−１であり、
即ち、
Ｂ＝［ｂ０、ｂ１、ｂ２、・・・、ｂＮ−１］であり、
Ｂ＝［３、７、４、５、２、１０、９、１２、８、６、１１、１］を得る。
【００９４】
システムが拡張循環プレフィックスを用いる場合、マトリックスにおける最初の６列が取り込まれる。前記リソースブロックにおいて対応する位置決定参照信号の具体的な位置は、図５に示すようなものである。図５において横座標ｌは、ＯＦＤＭシンボル上のサブフレームのシーケンス番号を示す。
【００９５】
共通シーケンスＡの値は、［１、３、７、４、５、２、１０、９、１２、８、６、１１］であってもよいし、［１、２、５、１０、１２、７、８、１１、４、６、３、９］、［１、２、４、８、５、１０、９、７、３、６］あるいは［１、２、８、１１、１０、４、７、１２、５、３、９、６］であってもよい。
【００９６】
なお、上記した３つの実施例は、１つの物理リソースブロックにおける時間周波数位置が説明されただけであり、物理リソースブロックの位置、及び物理リソースブロックを全帯域幅とすることについて説明されておらず、従って、前記３種類の物理リソースブロックの選択方式とは関係がない。
【００９７】
本発明は、位置決定参照信号の送信システムを提供する。当該システムは、周波数領域位置及び時間領域位置に応じて位置決定参照信号を送信するための送信ユニットを含む。
【００９８】
ここで、位置決定参照信号を送信するための周波数領域位置は、ｎ個の物理リソースブロックであり、ｎの値がシグナルに応じて取得される。位置決定参照信号を送信するための時間領域位置は、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルである。
【００９９】
好ましくは、当該システムは、周波数領域位置及び時間領域位置において、位置決定参照信号を送信することに用いられる直交周波数分割多重シンボルを確定するための確定ユニットを更に含む。前記確定は、具体的に以下のようなものである。
【０１００】
共通シーケンスをＮ×Ｎの配列Ａとして確定する。前記Ａ＝［ａ０、ａ１、ａ２・・・、ａｉ、・・・、ａＮ−１］であり、列と行の番号がいずれも０から開始される。配列ＡにはＮ個の互いに異なる要素が含まれ、各要素の値の範囲は０〜Ｎ−１の整数である。ａｉは、ｉ列のａｉ行の要素が１であること及びｉ列の他の位置要素が０であることを示す。
【０１０１】
セル識別子がＮＩＤｃｅｌｌである場合に、セル固有参照信号を伝送するためのサブフレームインデックスをＳｕｂｆｒａｍｅＩｎｄｅｘとして確定する。このとき、セルＮＩＤｃｅｌｌに対応するＮ×Ｎの配列Ｂ＝［ｂ０、ｂ１、ｂ２、・・・、ｂｉ、・・・、ｂＮ−１］は、
ｈ＝Ｘ ｍｏｄ Ｎ、  ｐ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１又は
ｐ＝Ｘ ｍｏｄ Ｎ、  ｈ＝ｆｌｏｏｒ（Ｘ/Ｎ）、ｂｉ＝（ａ（ｉ＋ｈ） ｍｏｄ Ｎ＋ｐ） ｍｏｄ Ｎ、  ｉ＝０、１、２、・・・、Ｎ−１である。
ここで、ｘ ｍｏｄ ｙは剰余演算であり、ｆｌｏｏｒ（ｘ）は端数を切り捨てて整数にすることを示し、Ｘ＝ＮＩＤｃｅｌｌ又はＸ＝ＮＩＤｃｅｌｌ＋ＳｕｂｆｒａｍｅＩｎｄｅｘである。
【０１０２】
サブフレームおいて位置決定参照信号を伝送するための直交周波数分割多重シンボルの数量をｎに確定し、配列Ｂの最初のｎ列又は最初のｎ行、又は最後のｎ列又は最後のｎ行を取り込む。
【０１０３】
取り込まれたｎ列又ｎ行は、前記ｎ個の直交周波数分割多重シンボルに一つずつ対応し、列又は行ごとに要素１が存在する位置が、位置決定参照信号を伝送する各物理リソースブロックにおいて、位置決定参照信号が対応直交周波数分割多重シンボル上に配置される位置である副搬送波位置に対応する。
【０１０４】
本発明は、位置決定参照信号の送信システムをさらに提供する。当該システムは、確立された対応関係、割り当てられたインデックス値、周波数領域位置及び時間領域位置に応じて位置決定参照信号を送信するための送信ユニットを含む。
【０１０５】
ここで、位置決定参照信号を送信するの周期と及び対応サブフレームオフセット量との組み合わせに、対応インデックス値が割り当てられ、組み合わせ及び対応インデックス値に対応関係が確定される。位置決定参照信号を送信するための周波数領域位置は、ｎ個の物理リソースブロックであり、ｎの値はシグナルに応じて取得される。位置決定参照信号を送信するための前記時間領域位置は、サブフレームにおける物理ダウンリンク制御チャンネルを伝送するための直交周波数分割多重シンボル及びセル固有参照信号を伝送するための直交周波数分割多重シンボル以外のほかの直交周波数分割多重シンボルである。
【０１０６】
好ましくは、当該システムは、記憶ユニット及びインデックス値送信ユニットを更に含む。記憶ユニットは、組み合わせ、対応インデックス値、及び前記対応関係をそれぞれ基地局及び端末に記憶することに用いられる。インデックス値送信ユニットは、対応関係に応じてインデックス値を確定し、前記端末に送信することに用いられる。
【０１０７】
好ましくは、当該システムは、端末が、受信したインデックス値及び対応関係に応じて、基地局によって設定された位置決定参照信号の周期及び対応サブフレームオフセット量を取得し、取得された周期とサブフレームオフセット量に応じて、基地局によって送信された位置決定参照信号を受信することに用いられる受信ユニットを更に含む。
【０１０８】
以上の説明は、本発明の好適な実施例に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005360942.tif 000010
【図２（ａ）】
0005360942.tif 000011
【図２（ｂ）】
0005360942.tif 000012
【図３】
0005360942.tif 000013
【図４】
0005360942.tif 000014
【図５】
0005360942.tif 000015